(57)【要約】【課題】自分に合った状態に枕を調整することの可能な枕調整器具、及びこれを内蔵した枕を提供する。【解決手段】枕調整器具１００は、枕の下に置かれて高さ方向を各々調整できる高さ調整部材１１０を水平方向に２以上並べて連結したことを特徴とする。かかる構成によれば、自分の好きな部分の高さを変えることができるので、自分に合った状態に枕を調整することが可能である。また、高さ調整部材１１０は、気体の注入により高さ調整できるので、空気入れや口からの注入により、高さ調整部材１１０の高さを簡単に調整することができる。また、高さ調整部材１１０の表面に突起１１４を設けており、枕を介して頭部や首に適度な刺激を与えることができるので、健康に良い。【選択図】図１
0003209361.tif 000002
【実用新案登録請求の範囲】
【請求項１】
枕の下に置かれて高さ方向を各々調整できる高さ調整部材と、
水平方向に２以上並べられた前記高さ調整部材を連結する連結部と、
を備えたことを特徴とする、枕調整器具。
【請求項２】
前記高さ調整部材は、気体の注入により高さ調整できることを特徴とする、請求項１に記載の枕調整器具。
【請求項３】
前記高さ調整部材の表面に突起を設けたことを特徴とする、請求項１又は２に記載の枕調整器具。
【請求項４】
請求項１〜３のいずれかに記載の枕調整器具を内蔵した枕。
【考案の詳細な説明】
【技術分野】
【０００１】
本考案は、枕調整器具及びこれを内蔵した枕に関する。
【背景技術】
【０００２】
枕は睡眠の質を左右する重要なものである。自分にしっかり合った枕でないと、健康や日常生活に影響が出る。したがって、快適な枕を使うことは極めて重要である。
【先行技術文献】
【非特許文献】
【０００３】
【非特許文献１】インターネット＜ＵＲＬ：https://ja.wikipedia.org/wiki/%E6%9E%95＞
【考案の概要】
【考案が解決しようとする課題】
【０００４】
しかしながら、枕は一度買ってしまうと、たとえ自分に合っていなくても気軽に買い替えができない。また、せっかく快適な枕が見つかったとしても、長年の使用でへたりができてしまう。オーダーメイドの枕はとにかく高額で、何度も調整してもらうのも手間である。
【０００５】
そこで本考案は、このような問題に鑑みてなされたものであり、その目的とするところは、自分に合った状態に枕を調整することの可能な枕調整器具、及びこれを内蔵した枕を提供することにある。
【課題を解決するための手段】
【０００６】
上記課題を解決するために、本考案の第１の観点によれば、枕の下に置かれて高さ方向を各々調整できる高さ調整部材を水平方向に２以上並べて連結したことを特徴とする、枕調整器具が提供される。より詳細には、枕の下に置かれて高さ方向を各々調整できる高さ調整部材と、水平方向に２以上並べられた前記高さ調整部材を連結する連結部と、を備えたことを特徴とする、枕調整器具が提供される。
【０００７】
かかる構成によれば、自分の好きな部分の高さを変えることができるので、自分に合った状態に枕を調整することが可能である。なお、水平方向とは、高さ方向以外の方向であり、横方向・縦方向・これらの組み合わせなどを含む。
【０００８】
本考案は、さまざまな応用が可能である。本考案の応用例は、任意に組み合わせることが可能である。例えば、前記高さ調整部材は、気体の注入により高さ調整できるようにしてもよい。気体は空気でもよく、他の気体でもよい。空気入れや口からの注入により、高さ調整部材の高さを簡単に調整することができる。
【０００９】
また、前記高さ調整部材の表面に突起を設けてもよい。枕を介して頭部や首に適度な刺激を与えることができるので、健康に良い。
【００１０】
上記課題を解決するために、本考案の第２の観点によれば、本考案の第１の観点にかかる枕調整器具を内蔵した枕が提供される。ここで内蔵とは、枕調整器具と枕とが一体であってもよく、また、枕調整器具が交換・着脱可能な構成であってもよい。上記の枕調整器具は単体で市場を流通させることもできるが、上記の枕調整器具を内蔵した枕として、商取引の対象とすることも可能である。
【考案の効果】
【００１１】
本考案によれば、自分に合った状態に枕を調整することの可能な枕調整器具とこれを内蔵した枕を提供することができる。本考案のその他の効果については、以下の考案を実施するための形態の項でも説明する。
【図面の簡単な説明】
【００１２】
【図１】枕調整器具１００の全体構成を概略的に示す斜視図である。
【図２】枕調整器具１００を枕にセッティングした状態を示す図であり、（ａ）は側面図であり、（ｂ）は平面図である。
【考案を実施するための形態】
【００１３】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１４】
本考案の一実施形態について説明する。図１は、枕調整器具１００の構成を概略的に示す図である。
【００１５】
本実施形態にかかる枕調整器具１００は、図１に示したように、枕の下に置かれて高さ方向を各々調整できる高さ調整部材１１０（１１０−１〜１１０−５）と、高さ調整部材１１０を水平方向に２以上並べて連結する連結部１２０とを備えたことを特徴とする。各高さ調整部材１１０−１〜１１０−５を総称するときは単に高さ調整部材１１０という。
【００１６】
（高さ調整部材１１０）
高さ調整部材１１０は、枕の下に置かれて高さ方向を各々調整できるものである。各高さ調整部材は、図１に示したように、略円筒形状であり、高さが７〜１０ｃｍ程度で幅が９ｃｍ程度で縦（奥行き）が７ｃｍ程度である。高さ調整部材１１０は、所定厚みの軟質プラスチック（例えば、塩化ビニール樹脂など）で形成されており、後述するように内部に気体が注入された状態で、適度な弾力を有する。各高さ調整部材１１０は、例えば、透明な部材で構成することができる。
【００１７】
各高さ調整部材１１０は、図１に示したように、中に気体を注入し高さを調整するための空気穴１１２を備えている。また、各高さ調整部材１１０は、表面に突起１１４が設けられている。
【００１８】
空気穴１１２からは、一般的な空気入れ等から気体を注入することができる。また、浮き輪のように口からも気体を注入することができる。このような構成により、各高さ調整部材１１０の高さを簡単に調整することができる。各高さ調整部材１１０は、個別に高さを調整することができるので、例えば、中央の高さ調整部材１１０−３を最も低くし、その外側の高さ調整部材１１０−２、１１０−４を少し高くし、最外の高さ調整部材１１０−１、１１０−５を最も高くするなど、使用者の好みに合わせた任意の形状にすることができる。
【００１９】
突起１１４は、図１に示したように、各高さ調整部材１１０の表面に複数形成されている。高さ調整部材１１０にこのような突起を形成することで、枕を介して頭部や首に適度な刺激を与えることができるので、健康に良い。
【００２０】
（連結部１２０）
連結部１２０は、高さ調整部材１１０を水平方向に２以上並べて連結するためのものである。連結部１２０は、図１に示したように、ゴム紐状のものであり、高さ調整部材１１０を連結する。なお、高さ調整部材１１０間の連結は、接着により連結してもよい。この場合、連結部は接着剤の部分となる。また、高さ調整部材１１０間の連結は、物理的な構造（嵌め合わせなど）により連結してもよく、さらに溶着によって連結してもよい。また、高さ調整部材１１０は一体成型品であってもよい。これらの場合は、高さ調整部材１１０間を連結している部分が連結部になる。
【００２１】
以上、枕調整器具１００の構成について説明した。次に、枕調整器具１００の使い方について、主に図２を参照しながら説明する。図２は、枕調整器具１００を枕Ｐにセッティングした状態を示す図であり、図２（ａ）は側面図であり、図２（ｂ）は平面図である。
【００２２】
まず、使用者の好みに高さ調整がされた枕調整器具１００を、図２（ａ）の側面図に示したように、枕Ｐの下にセッティングする。そして、使用者は、図２（ｂ）の平面図に示したように、枕Ｐの枕調整器具１００がセッティングされた箇所に、頭部や首を置くことができる。
【００２３】
（本実施形態の効果）
以上説明したように、本実施形態の枕調整器具１００によれば、自分の好きな部分の高さを変えることができるので、自分に合った状態に枕を調整することが可能である。
【００２４】
また、高さ調整部材１１０は、気体の注入により高さ調整できるようにしたので、空気入れや口からの注入により、高さ調整部材１１０の高さを簡単に調整することができる。
【００２５】
また、高さ調整部材１１０の表面に突起１１４を設けたことで、枕を介して頭部や首に適度な刺激を与えることができるので、健康に良い。
【００２６】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００２７】
例えば、上記実施形態では、高さ調整部材１１０（１１０−１〜１１０−５）として、所定サイズの略円筒形状のものについて説明したが、本考案はこれに限定されない。高さ調整部材１１０の形状は、略球形など任意の形でよい。また、サイズも任意でよい。枕に大人用・女性用・子供用などがあるのと同様に、枕調整部材のサイズも任意のものとすることができる。
【００２８】
また、上記実施形態では、５つの高さ調整部材１１０−１〜１１０−５を横方向に並べた一例について説明したが、本発明はこれに限定されない。高さ調整部材は２〜４つでもよく、６つ以上を横方向に並べてもよい。また、高さ調整部材の形状を略球形などの適宜形状にして、縦及び横方向に並べてもよい。このような並べ方も、本発明の水平方向に並べることに当たる。
【００２９】
また、上記実施形態では、各高さ調整部材１１０の高さを調整する方法として、気体の注入により高さ調整する場合について説明したが、本発明はこれに限定されず、任意の高さ調整方法を採用することができる。例えば、高さ調整部材に液体や、ビーズ及び綿などの固体を入れる量を調整することにより高さ調整するようにしてもよい。また、各高さ調整部材を構造的に変形させることにより高さ調整するようにしてもよい。
【００３０】
また、上記実施形態では、高さ調整部材１１０の表面に突起１１４を形成した場合について説明したが、本考案はこれに限定されず、高さ調整部材に突起を設けなくてもよい。また、突起を設ける場合でも、上記実施形態の突起１１４の形状でなくてもよい。
【００３１】
また、上記実施形態では、高さ調整部材１１０を軟質プラスチック（例えば、塩化ビニール樹脂など）で形成したが、本考案はこれに限定されない。例えば、布なので構成してもよい。
【００３２】
上記実施形態で説明した枕調整器具１００は単体で市場を流通させることもできるが、上記の枕調整器具１００を内蔵した枕として、商取引の対象とすることも可能である。
【産業上の利用可能性】
【００３３】
本考案は、枕調整器具及びこれを内蔵した枕に利用可能である。
【符号の説明】
【００３４】
１００  枕調整器具
１１０  高さ調整部材
１１２  空気穴
１１４  突起
１２０  連結部
Ｐ  枕
【図１】
0003209361.tif 000003
【図２】
0003209361.tif 000004